(57)【要約】装身具システムのための装飾具（１、１１、２１）であって、細長い要素および装飾要素（４、１４、２４ａ、２４ｂ）を収容するための少なくとも１つのノッチ（３、２３ａ、２３ｂ）が設けられた基台部（２、２２）を備え、上記装飾要素（４、１４、２４ａ、２４ｂ）は上記ノッチの両端に延びることで上記細長い要素を覆い囲むようにして上記基台部に取り付けられることができる、装飾具（１、１１、２１）である。上記基台部（２、２２）および装飾要素（４、１４、２４ａ、２４ｂ）は、上記装飾要素（４、１４、２４ａ、２４ｂ）が、上記ノッチ（３、２３ａ、２３ｂ）に対しランダムに選択された向きで基台部（２、２２）に着脱式に取り付けられることができるように構成される。さらに、装身具システムは、上述したような少なくとも１つの装飾具（１、１１、２１）および細長い要素を備える。
2004503318.tif 000002
【特許請求の範囲】
【請求項１】
細長い要素を収容するための少なくとも１つのノッチ（３、２３ａ、２３ｂ）が設けられた基台部（２、２２、６３）と、前記ノッチ（３、２３ａ、２３ｂ）の両端に延びることで前記細長い要素を覆い囲むようにして前記基台部（２、２２、６３）に取り付けられることができる装飾要素（４、１４、２４ａ、２４ｂ、６４）とを備える、装身具システムのための装飾具（１、１１、２１）であって、前記基台部（２、２２、６３）および前記装飾要素（４、１４、２４ａ、２４ｂ、６４）は、該装飾要素（４、１４、２４ａ、２４ｂ、６４）が、前記ノッチ（３、２３ａ、２３ｂ）に対しランダムに選択された向きで前記基台部（２、２２、６３）に着脱式に取り付けられることができるように構成されることを特徴とする装飾具。
【請求項２】
前記基台部（２、２２、６３）は、前記装飾要素（４、１４、２４ａ、２４ｂ、６４）を取り付けることができる円形凹部が設けられていることを特徴とする、請求項１に記載の装飾具。
【請求項３】
前記基台部（２、２２、６３）の前記円形凹部は、切り込みを入れられ、前記凹部の縁に少なくとも１つの内向きに延出したビード（５）が設けられていること、および前記装飾要素（４、１４、２４ａ、２４ｂ、６４）は、前記切り込みを入れた凹部に係合可能な外向きに延出したカラー（８）を有する少なくとも１つのホルダーフラップ（７）が設けられていることを特徴とする、請求項２に記載の装飾具。
【請求項４】
前記基台部（２、２２、６３）は、円形リングとして構成され、前記少なくとも１つのノッチ（３、２３ａ、２３ｂ）は、前記基台部（２、２２、６３）の一方の側に対角線上に配置され、前記円形凹部は、前記基台部（２、２２、６３）の両端にわたって通し口を形成することを特徴とする、請求項３に記載の装飾具。
【請求項５】
前記基台部（２、２２、６３）の前記ノッチ（３、２３ａ、２３ｂ）は、前記円形リングの中心面まで及んでいることを特徴とする、請求項１ないし４のいずれか一項に記載の装飾具。
【請求項６】
前記基台部（２、２２、６３）ならびに前記装飾要素（４、１４、２４ａ、２４ｂ、６４）は、プラスチック製であることを特徴とする、請求項１ないし５のいずれか一項に記載の装飾具。
【請求項７】
請求項１ないし６のいずれか一項に記載するように構成される少なくとも１つの装飾具（１、１１、２１）をさらに備えることを特徴とする、細長い要素を備える装身具システム。
【請求項８】
前記基台部（２、２２、６３）に設けられた前記少なくとも１つのノッチ（３、２３ａ、２３ｂ）は、前記細長い要素を押さえ留め作用によって前記ノッチ（３、２３ａ、２３ｂ）に固定することができるような幅を有することを特徴とする、請求項７に記載の装身具用装置。
【請求項９】
前記細長い要素は、可撓性であり、端に連結手段が設けられていることを特徴とする、請求項７または８に記載の装身具用装置。
【請求項１０】
前記細長い可撓性要素の端における前記少なくとも１つの連結手段は、前記装飾具（１、１１、２１）の前記基台部（２、２２、６３）に対応する基台部（３２、４２）として構成されることを特徴とする、請求項９に記載の装身具用装置。
【請求項１１】
前記細長い可撓性要素の端における前記少なくとも１つの連結手段は、前記細長い可撓性要素の全厚を上回る直径を有する球状要素（４０、５０）の形状を有することを特徴とする、請求項９に記載の装身具用装置。
【請求項１２】
前記細長い可撓性要素は、チェーン（９、４９）として構成されることを特徴とする、請求項９ないし１１のいずれか一項に記載の装身具用装置。
【請求項１３】
前記チェーン（９、４９）は、金属製であることを特徴とする、請求項１２に記載の装身具用装置。
【発明の詳細な説明】
【０００１】
本発明は、細長い要素および装飾要素を収容するための少なくとも１つのノッチを設けた基台部を備える装身具用装飾具であって、該装飾要素がノッチの両端に延びることで細長い要素を覆い囲むようにして基台部に取り付けられることができる、装身具システムのための装飾具に関する。さらに、本発明は、細長い要素を備え、上述した少なくとも１つの装飾具をさらに備える、装身具システムに関する。
【０００２】
かかる装飾具およびかかる装身具システムは、ドイツ特許公開第１，０８７，３８８号から知られており、この特許は、少なくとも１つの通し穴（貫通口）、および装身具用ビードの外側から通し穴にかけて延在するノッチを設けた装身具用ビードを示している。したがって、通し穴はノッチの底部をなし、ビードは、通し穴に配置されるまで、ノッチの底部に向けて下方に運ばれるストリング（ｓｔｒｉｎｇ：細ひも）によって糸に取り付けられ得る。このノッチは楔形状であり、ノッチ中に下方に押し込まれることができ、バーブ（ｂａｒｂｓ）によりその中に固定されることができる楔形要素が備えられている。この楔形要素は、ビードの材料および色とは異なる材料および色からなり得るが、ビードを球状にさせる１つの方法でのみ取り付けられ得る。
【０００３】
さらに、ＵＳ−Ａ−５，４４０，９００も装身具チェーンに取り付けるための装飾具を教示しており、この装飾具は、チェーンのまわりにしっかり押し込められる（ｓｑｕｅｅｚｅ）ように構成されている。これらの装飾具のそれぞれは、開いている後部と閉じている前部とを有する皿形部分から構成され、そこに、装身具的要素が、たとえば宝石（ｇｅｍ）の形で取り付けられ得る。装身具チェーンに取り付ける際、このチェーンは、ノッチ、または装飾具の側壁にある開口を通して送られ、押さえ留め要素（ｃｌａｓｐｉｎｇ ｅｌｅｍｅｎｔ）によって適所に押さえ留めされる。したがって、装飾具は、着脱式に固定され、チェーンでの互いに対する位置付けは変えることができる。しかしながら、個々の装飾具の装飾要素を変える可能性はない。
【０００４】
最後に、ＦＲ−Ａ１−２，７４７，２７７が装身具システムを開示しており、この特許では、装飾具は、接着または機械的変形によって、複数のチェーンに取り付けられた基台部を備える。この基台部に磁石を用い、かつ関連した装飾要素に磁気材料を用いることによって、装飾要素を基台部に着脱式に固定することができる。したがって、この装身具システムにより、個々の装飾要素の交換が可能となるが、チェーンにおける基台部の位置を変えるという選択は与えられていない。
【０００５】
これらのタイプの装身具をさらに変形することができるようにするために、ストリング、チェーン、または任意の他の細長い要素に取り付けるための装飾具であって、従来技術の取り付け可能なビードまたは装飾具に比して、変形するという選択に関してより柔軟性が高い装飾具が必要とされる。
【０００６】
したがって、本発明の目的は、変形のためのこれらのさらなる選択を与える装飾具および装身具システムを提供することである。
【０００７】
これは、ノッチに対してランダムに選択された向きで基台部に装飾具を着脱式に取り付けることができるように基台部および装飾具が構成されるような上述した装飾具を構成することで達成される。
【０００８】
これによって、ストリング、チェーン、バー（ｂａｒ）などのような細長い要素に取り付け可能であることのほかに、上記装飾具は、不ぞろいであるように構成されることができ、かつ装飾具の基台部に所望とされるように向けることができる装飾要素も備える。
【０００９】
基台部と装飾要素との相互連結は、種々の方法で構成され得るが、好適な実施形態によれば、基台部は、単純な円形凹部（ｃｉｒｃｕｌａｒ ｒｅｃｅｓｓ）が設けられており、この凹部内に装飾要素を取り付けることができる。
【００１０】
基台部への装飾要素の適切な取り付けを確実に行うために、基台部の円形凹部は、切り込みを入れることができ、同時に、装飾要素は、切り込みを入れた凹部と係合することができる外向きの突起カラーを有する少なくとも１つのホルダーフラップが設けられる。基台部および装飾要素のこの構成により、この２つの部分間にスナップ結合（ｓｎａｐ−ｃｏｕｐｌｉｎｇ）を確立することができる。このような連結は、装飾要素が容易に取り付けられ、かつ取り外されることを意味する。
【００１１】
好適な実施形態によれば、基台部は、円形リングとして構成され、少なくとも１つのノッチは、基台部の一方の側に対角線上に配置されており、円形凹部は、基台部を通って通し口をなしている。この実施形態により、基台部は、ノッチの他に、回転対称要素として概して構成され、通し口として構成される凹部により、基台部の両側に装飾要素を取り付けることが可能になる。
【００１２】
好ましくは、基台部のノッチは、円形開口の中心面に及び、取り付けられた細長い要素がこの面を通って実質的に延出し、それによって十分に均衡の取れた取り付けが達成されるようになっている。
【００１３】
耐久性があるが可撓性である要素を提供するために、基台部ならびに装飾要素は、好ましくはプラスチック製である。
【００１４】
本発明による装身具システムは、細長い要素と、上記に特徴付けられるように構成された少なくとも１つの装飾具とを備える。したがって、この装身具システムにより、細長い要素に取り付けられた装飾要素を備える複数の種々の装身具を構成することができる。
【００１５】
好ましくは、基台部に設けられた少なくとも１つの溝（ｇｒｏｏｖｅ）は、押し込むことによって細長い要素がノッチに固定されることができるような幅を有する。これによって、細長い要素への装飾具の簡単な取り付けが達成され、基台部の、ノッチが設けられている側に、装飾要素を取り付けることによってさらなる取り付けが達成され得り、これにより、細長い要素が、装飾要素によりノッチの底部に留められる（ｃｏｎｆｉｎｅ）。
【００１６】
細長い要素は、任意選択で成形されてネックレスまたはブレスレットを形成する可撓性でないロッドとして構成されることができる。しかしながら、好適な実施形態では、細長い要素は、可撓性であるように構成され、その両端に連結手段が設けられる。したがって、この細長い可撓性要素は、非常に融通性のある用途のために、および種々の構造の構成のために用いることができる。
【００１７】
一実施形態によれば、細長い可撓性要素の端にある少なくとも１つの連結手段は、装飾具の基台部に対応する基台部として構成される。これにより、一方では、基台部に装飾要素を取り付けることが可能であり、他方では、ノッチを介して基台部が細長い可撓性要素の別の部分と係合することが可能であるため、変形のさらなる選択が得られる。
【００１８】
代替的な実施形態によれば、細長い可撓性要素の端にある少なくとも１つの連結手段は、細長い可撓性要素の全厚を上回る直径を有する球状要素として構成される。細長い可撓性要素の端にあるこのような球状要素は、一方では、細長い可撓性要素の端に対して、装飾具が取り付けられる距離のための止め具として作用し、他方では、種々の装飾具の取り付け後、その端が自由に空いている状態のままである場合、細長い可撓性要素のエレガントな装飾（ｆｉｎｉｓｈｉｎｇ）として作用する。
【００１９】
好ましくは、細長い可撓性の要素は、装飾具の基台部に設けたノッチとの係合のために固定基礎部（ｓｅｃｕｒｅ ｂａｓｉｓ）を提供する金属チェーンとして構成される。
【００２０】
次に、本発明を、図面を参照してさらに詳細に説明する。
【００２１】
図１は、チェーン、ストリング、ロッド、髪束などのような細長い要素に取り付けるための少なくとも１つのノッチ３が設けられた基台部２を備える、装身具システムのための装飾具１を示す。この装飾具は、基台部２に着脱式に取り付けられる装飾要素４も備える。図示の実施形態では、装飾要素４は、蝶形として構成されているが、この装飾要素は、以下の説明から明らかとなるように、他の形状を有してもよい。
【００２２】
図２では、装飾具１は、２つの部分、すなわち基台部２と装飾要素４とに分かれて示されており、これらは、下記に説明するように、スナップ結合により組立ておよび分離することができる。
【００２３】
図示の実施形態では、基台部２は、通し口を備えた円形リングとして構成されている。通し口に垂直な上側および下側は平面であるが、その外面は、湾曲して構成されている。上側には、チェーン、ストリング、ロッド、髪束などのような細長い要素を収容することができるように構成されたノッチ３が対角線上に設けられている。ノッチ３の底部は、基台部２の中心面の高さと略同じところに位置付けられ、ノッチに配置された細長い要素が基台部２のこの中心面に実質的に位置付けられるようにする。
【００２４】
通し口は、アンダーカットされた縁を有して構成され、基台部２の上側および下側に、基台部２と装飾要素４との間にスナップ結合の一部を構成する内向きに向けられたカラーまたはビード５が提供される。
【００２５】
装飾要素４の底面には、下向きに向けられた４つのホルダーフラップ７を備えたディスク６が設けられ、このホルダーフラップ７はそれぞれ、基台部２の通し口の直径に対応する直径を有する円を構成する。
【００２６】
各ホルダーフラップ７は、外向きに向けられたカラーすなわちビード８が設けられており、このカラーすなわちビード８は、装飾要素４が基台部２に取り付けられると、通し口に提供されて、基台部２のカラーすなわちビード５と係合するように構成されている。連結手段のこの構成により、基台部２のノッチ３に対する装飾要素の向きを自由に選択することができる。
【００２７】
装飾具１は、基台部２のノッチ３に配置されることによって細長い要素に取り付けられ得る。細長い要素がノッチ３内にしっかり嵌まる場合、すなわち、細長い要素がノッチ３の幅をわずかに上回る幅を有している場合、細長い要素は、溝３の両側と細長い要素との間の摩擦により限定的に固定され得る。好ましくは、ノッチ３は、基台部２が細長い要素に取り付けられた際、装飾要素４を基台部２になおも取り付けることができるような深さを有する。しかしながら、細長い要素がノッチ３内にしっかり嵌まっていない場合、ノッチ３がなおも用いられ得るため、そのような場合、装飾具１は、チェーンまたはストリング上に単に緩く取り付けられることになる、すなわち、取り付けられた装飾具は、細長い要素上を自由に変位し得る。
【００２８】
上述したように、細長い要素は、チェーンまたはストリングであり得り、それによって、１つまたは複数の装飾具１が、ネックレス、ブレスレットなどに対し装身具システムを構成し得る。しかしながら、細長い要素は、１つまたは複数の装飾具１を取り付けることのできる剛性ロッドまたはリングのような形状にされてもよく、あるいは、基台部２のノッチ３に据える使用者の髪（すなわち多くの髪束）からなっていてもよく、この場合に従うと、装飾要素４は、ノッチ３内の適所に置かれ、髪を押さえ留める。
【００２９】
次に、図３は、チェーン９の形態をした細長い要素、およびチェーン９に取り付けられた装飾具１、１１、２１を示している。チェーン９は、金属リングからなり、この金属リングは、互いに軸方向に連結されており、各金属リング間に小さな軸方向隙間（ａｘｉａｌ ｃｌｅａｒａｎｃｅ）を有する。小型の細長い可撓性要素であるようなチェーン９が、図１および図２に示した装飾具と組み合わせての使用に非常に適していると思われるが、これは、横方向において寸法的に非常に安定性があり、したがって、適した方法で、基台部２のノッチ３中に下方に押し込まれることができ、押さえ留め作用により、ノッチ内に固定されることができるからである。
【００３０】
チェーン９は、一端に、図１および図２に示した基台部２と略同じように構成された基台部３２として構成される連結手段が設けられる。基台部３２は、その側部に、輪（ｅｙｅ）３３が設けられ、チェーン９は、第２の輪３４を介して輪３３に固定される。基台部３２は、ノッチ３５、ならびに通し口に内向きに延出したカラーまたはビード３６が設けられる。したがって、基台部３２は、ノッチ３５に第２の細長い要素を収容することができ、図１および図２に示した基台部２と同じようにして装飾要素４と嵌合することができる。当然のことながら、チェーン９はまた、チェーン９の対向端がノッチ３５に取り付けられる場合に閉リングを形成するように閉じられる。
【００３１】
チェーン９は、第２の端に、直径がチェーン９の直径よりもわずかに上回っている球状要素４０が設けられている。したがって、この球状要素は、緩くぶら下げられた端とともに使用される場合、装飾具１のための端の止め具として、およびチェーン９のエレガントな装飾として作用することができる。
【００３２】
図１および図２に詳細に示した装飾具１は、ノッチ３中に押し込まれるチェーン９により、該チェーン９に取り付けられて固定され、この後、装飾要素４がホルダーフラップ７により取り付けられ、このホルダーフラップ７の外向きに延出したカラー８は、基台部２の通し口の内向きに向けられたビード５と協働する。基台部２の通し口および装飾要素４のホルダーフラップ７のこの構成により、上述したように、チェーン９に対してランダムに選択されるようにして装飾要素４を向けることができる。
【００３３】
原理上、装飾具１１は、基台部２および装飾要素１４を備えるものとして装飾具１に対応する。基台部２は、ノッチ３中に下方に押し込まれるチェーン９により該チェーン９に取り付けられ、押さえ留め作用によってノッチ３に固定される。この場合、装飾要素１４は、ドーム形状をしており、ノッチ３とは反対側の基台部２の側に取り付けら得る。
【００３４】
原理上、装飾具２１も、図１および図２に示した装飾具１に対応するが、各側に２つのノッチ２３ａ、２３ｂが設けられた基台部２２を備える。２つのノッチ２３ａ、２３ｂは、基台部２２にわたって対角線上に延在し、互いに垂直に配置されている。したがって、基台部２２は、選択に応じて、一方の側または他方の側から、あるいは同時に両側から細長い要素に取り付けられて、２つの細長い要素間の架台（ｃｒｏｓｓ）を形成する。
【００３５】
装飾具２１に示した取り付けでは、チェーン９は、ノッチ２３ａに取り付けられ、基台部２２の各側にそれぞれドーム形状の装飾要素２４ａおよびピラミッド形の装飾要素２４ｂが取り付けられる。ドーム形状の装飾要素２４ａならびにピラミッド形の装飾要素２４ｂは、好ましくは、透明の着色ガラスまたはプラスチック製である。
【００３６】
図４および図５は、本発明による、装身具システムを構成し得る他の要素を示している。
【００３７】
図４は、原理上、図３に示したチェーン９と同じようにして構成される、すなわち、基台部４２、チェーン４６、および球状要素５０を含むチェーンの延長部４１を示している。チェーンの延長部４１を用いて図３に示したチェーン９を延長するか、あるいは、より多くのチェーン延長部４１を連続的に取り付けて、より長いチェーンを形成することができる。このチェーン延長部４１は、ネックレスまたはブレスレット用のペンダントまたはチャームとして用いることもでき、基台部４２は、図３に示したチェーン９のようなチェーンに取り付けられ、チェーン４９および球状要素５０は、単に緩くぶら下げられる。チェーン延長部４１についての他の用途も可能である。
【００３８】
図５は、装飾具１がイアリング６０と組み合わせて使用することができる方法を示している。イヤリング６０は、耳の穿孔を通して取り付けるピン６１と、ピン６１で押さえ留めすることができるロック６２とを備える。ピン６１の第１の端は、図２に示した装飾要素４のホルダーフラップ７に対応する前方に向けられたホルダーフラップ６７を備えた円形ディスク６６が設けられている。したがって、図１および図２に示した基台部２に対応する基台部６３は、イアリングに取り付けることができ、装飾要素６４は、基台部６３の反対側に取り付けることができる。
【００３９】
本発明を、装飾具および装身具システムの好適な実施形態を参照して説明してきた。しかしながら、すべての構成部品は、それにより本発明の概念から逸脱することなく、他の方法で構成されることができる。
【００４０】
たとえば、基本部品は、リングとして構成される必要はなく、基台部と装飾要素との間の連結手段により、装飾要素が、チェーン、ストリング、ロッド、髪束などのような細長い要素に基台部を取り付けるノッチに対してランダムに選択された向きで着脱式に取り付けられることが保証される限り、いずれの他の構成を有していてもよい。
【００４１】
装身具システムを構成するチェーンまたはストリングの長さは、個々のチェーンまたはストリングの用途分野に応じて変えることができる。最後に、当然のことながら、図１ないし図５に示した方法以外の広範な種々の方法で装飾要素を構成することができる。
【図面の簡単な説明】
【図１】
第１の実施形態による装飾具を示す図である。
【図２】
基台部と装飾要素とに分離された装飾具を示す図である。
【図３】
装飾具が取り付けられたチェーンを示す図である。
【図４】
チェーンの延長部を示す図である。
【図５】
本発明による装飾具の、イヤリングの一部としての代替的な使用を示す図である。
【図１】
2004503318.tif 000003
【図２】
2004503318.tif 000004
【図３】
2004503318.tif 000005
【図４】
2004503318.tif 000006
【図５】
2004503318.tif 000007
【国際公開パンフレット】
2004503318.tif 000008
2004503318.tif 000009
2004503318.tif 000010
2004503318.tif 000011
2004503318.tif 000012
2004503318.tif 000013
2004503318.tif 000014
2004503318.tif 000015
2004503318.tif 000016
2004503318.tif 000017
2004503318.tif 000018
2004503318.tif 000019
2004503318.tif 000020
2004503318.tif 000021
【手続補正書】
【提出日】平成14年8月19日(2002.8.19)
【手続補正１】
【補正対象書類名】明細書
【補正対象項目名】特許請求の範囲
【補正方法】変更
【補正の内容】
【特許請求の範囲】
【請求項１】
細長い要素を収容するための少なくとも１つのノッチ（３、２３ａ、２３ｂ）が設けられた基台部（２、２２、６３）と、前記ノッチ（３、２３ａ、２３ｂ）の両端に延びることで前記細長い要素を覆い囲むようにして前記基台部（２、２２、６３）に取り付けられることができる装飾要素（４、１４、２４ａ、２４ｂ、６４）とを備える、装身具システムのための装飾具（１、１１、２１）であって、
前記基台部（２、２２、６３）は、前記装飾要素（４、１４、２４ａ、２４ｂ、６４）を取り付けることができる円形凹部を備え、前記凹部の縁に少なくとも１つの内向きに延出したビード（５）が設けられ、および前記装飾要素（４、１４、２４ａ、２４ｂ、６４）は、前記内向きに延出したビードに係合可能な外向きに延出したカラー（８）を有する少なくとも１つのホルダーフラップ（７）を備え、これによって該装飾要素（４、１４、２４ａ、２４ｂ、６４）が、前記ノッチ（３、２３ａ、２３ｂ）に対しランダムに選択された向きで前記基台部（２、２２、６３）に着脱式に取り付けられることを特徴とする装飾具。
【請求項２】
前記基台部（２、２２、６３）は、円形リングとして構成され、前記少なくとも１つのノッチ（３、２３ａ、２３ｂ）は、前記基台部（２、２２、６３）の一方の側に対角線上に配置され、前記円形凹部は、前記基台部（２、２２、６３）を介して通し口を形成することを特徴とする、請求項３に記載の装飾具。
【請求項３】
前記基台部（２、２２、６３）の前記ノッチ（３、２３ａ、２３ｂ）は、前記円形リングの中心面まで及んでいることを特徴とする、請求項１または２に記載の装飾具。
【請求項４】
前記基台部（２、２２、６３）ならびに前記装飾要素（４、１４、２４ａ、２４ｂ、６４）は、プラスチック製であることを特徴とする、請求項１ないし３のいずれか一項に記載の装飾具。
【請求項５】
請求項１ないし４のいずれか一項に記載するように構成される少なくとも１つの装飾具（１、１１、２１）をさらに備えることを特徴とする、細長い要素を備える装身具システム。
【請求項６】
前記基台部（２、２２、６３）に設けられた前記少なくとも１つのノッチ（３、２３ａ、２３ｂ）は、前記細長い要素を押さえ留め作用によって前記ノッチ（３、２３ａ、２３ｂ）に固定することができるような幅を有することを特徴とする、請求項５に記載の装身具用装置。
【請求項７】
前記細長い要素は、可撓性であり、端に連結手段が設けられていることを特徴とする、請求項５または６に記載の装身具用装置。
【請求項８】
前記細長い可撓性要素の端における前記少なくとも１つの連結手段は、前記装飾具（１、１１、２１）の前記基台部（２、２２、６３）に対応する基台部（３２、４２）として構成されることを特徴とする、請求項７に記載の装身具用装置。
【請求項９】
前記細長い可撓性要素の端における前記少なくとも１つの連結手段は、前記細長い可撓性要素の全厚を上回る直径を有する球状要素（４０、５０）の形状を有することを特徴とする、請求項７に記載の装身具用装置。
【請求項１０】
前記細長い可撓性要素は、チェーン（９、４９）として構成されることを特徴とする、請求項７ないし９のいずれか一項に記載の装身具用装置。
【請求項１１】
前記チェーン（９、４９）は、金属製であることを特徴とする、請求項１０に記載の装身具用装置。
【国際調査報告】
2004503318.tif 000022
2004503318.tif 000023
2004503318.tif 000024